(57)【特許請求の範囲】
【請求項１】
水泳競技における競泳者の飛び込みの動作を感知するセンサー付スタート台において、競泳者が登る架台と、架台の上面部に固定されたベースプレートと、前記ベースプレート上に配設されたトッププレートと、前記ベースプレートの後方部に設置され、前記ベースプレートと前記トッププレートを開閉可能に固定する開閉回転支持部と、前記トッププレートに覆われた位置に前記トッププレートと接触可能に前記ベースプレートに保持されるスイッチ部とを有することを特徴とするセンサー付スタート台。
【請求項２】
前記スイッチ部が前記ベースプレートに着脱可能に保持されたことを特徴とする請求項１記載のセンサー付スタート台。
【請求項３】
前記スイッチ部がスイッチの感度を調整する調整手段を有することを特徴とする請求項１又は２記載のセンサー付スタート台。
【請求項４】
前記スイッチ部がスイッチとスイッチを設置するためのベースプレートにネジ止めされた弾性材からなるスイッチホルダーとスイッチホルダーの上下位置調節を行うスイッチ感度調節ネジを有することを特徴とする請求項１、２又は３記載のセンサー付スタート台。
【発明の詳細な説明】
【０００１】
【発明の属する技術分野】
本発明は、水泳競技における競泳者の飛び込みの動作を感知するセンサー付スタート台に関する。
【０００２】
【従来の技術】
従来より、水泳競技には、競泳者が飛び込みを行う際の時間を測るための飛び込み感知装置付きスタート台が用いられている。
【０００３】
従来の飛び込み感知装置付きスタート台は、主に、実開平６−２３５６８号公報に開示されているとおり、競泳者が登る架台と、架台の上面部のベース部分と、架台のベース部分を覆う天板と、ベース部分の中央に固定され片側をベース部分に接しもう片側は天板に接する蝶番と、ベース部分上の前方に設置されたスイッチ作動部と、後方に設けられた天板受け部と、天板受け部とベース部を調整可能に圧着するフレームを設けて成るものであった。
【０００４】
【発明が解決しようとする課題】
前記飛び込み感知装置付きスタート台は、天板が蝶番とフレームの固定部材とによって架台上面部のベース部分に固定され、天板受け部に引きつけられている。このため、わずかな力では天板は揺動せず、競泳者が飛び込み感知装置付きスタート台に登った時は、容易に天板がぐらつくことがないため安心感が得られるが、天板を架台から取り外す時には、固定部材を取り外す作業が非常に煩雑であるため、天板下部に納められているスイッチ及びその他の部品の点検及び交換等の保守の際は、手間がかかり不便であった。
【０００５】
そこで、本発明ではこのような問題点をなくし、スタート台内部のスイッチ等の点検及び交換をスムーズに行うことを目的としている。
【０００６】
【課題を解決するための手段】
上記目的を達成するために本発明のセンサー付スタート台は、競泳者が登る架台と、架台の上面部に固定されたベースプレートと、前記ベースプレート上に配設されたトッププレートと、前記ベースプレートと前記トッププレートを開閉可能に固定する開閉回転支持部と、前記トッププレートに覆われた位置に前記トッププレートと接触可能に前記ベースプレートに保持されるスイッチ部とを有するセンサー付スタート台としたものである。これにより、前記トッププレートの開閉が容易となる。
【０００７】
また、前記スイッチ部を前記ベースプレートに着脱可能に保持することにより、スイッチ等の点検及び交換が容易となる。
【０００８】
また、前記スイッチ部において、スイッチの感度を調整する調整手段を有することができる。
【０００９】
そして、前記スイッチ部にスイッチとスイッチを設置するためのベースプレートにネジ止めされた弾性材からなるスイッチホルダーとスイッチホルダーの上下位置調節を行うスイッチ感度調節ネジを設けることができる。これによってスイッチの点検、交換が容易とできるとともにスイッチ感度の調整ができる。
【００１０】
【発明の実施の形態】
以下に、本発明であるセンサー付スタート台の発明の実施の形態及び実施例を図面に基づいて説明する。
【００１１】
図１及び図２に本発明の実施例であるセンサー付スタート台の側断面図を示す。図１は競泳者が乗ったときの状態を示しており、図２は競泳者が乗っていない時の状態を示している。
【００１２】
図１及び図２において、センサー付スタート台１につき説明する。架台３の上面部にベースプレート５を固定し、板ゴム６をその上面に貼設している。前記ベースプレート上にはトッププレート７を配設する。前記ベースプレートに前記トッププレートを開閉可能に固定する開閉回転支持部９、本実施例では蝶番により取付けられている。前記開閉回転支持部９は前記ベースプレート５の後方部に設置し、前記ベースプレートの下部に開閉回転支持部９を取付けている。トッププレート７は浅い側面を有する底なしの箱状とされ、ステンレス等の錆びにくい材質で作製される。表面には競泳者が滑らないようにノンスリップ加工を施している。
【００１３】
前記トッププレートに覆われた位置にスイッチ部１１を設け、このスイッチ部１１は前記トッププレートと接触可能に配設されるスイッチ１３とこれを支持する前記ベースプレートにネジ止めされたスイッチホルダー１５とからなっている。
【００１４】
スイッチ部１１は、ベースプレート５の前方に保持され、スイッチ１３、ここではテープスイッチ、を設置したスイッチホルダー１５をベースプレート５の下面からネジ１６等で固定することができ、前記ネジ１６の取外しのみでテープスイッチ１３の交換及び点検を行うことができる。
【００１５】
図３は本発明の同実施例であるセンサー付スタート台の正面方向から見た断面図である。
【００１６】
前記ベースプレートの中央より前方部に止め具１７、ここではラッチ、を設け、トッププレート７には対抗して受け金具１９を設置する。前記止め具と前記受け金具によりトッププレート７の開閉を容易に行うことができる構造とされている。即ち、前記ベースプレートの受け金具用穴を通して受け金具をトッププレートの裏面に突出させ、図３に示すように前記止め具１７を左右にスライドさせることによってトッププレート７の開閉を自在とする。
【００１７】
図４はスイッチ部の他の実施例を示す部分側面図で、前記スイッチホルダーを弾性材で作製して、スイッチ感度調整ネジ１４により、スイッチホルダーの上下位置を調整することが可能である。
【００１８】
また、図５には、本発明の同実施例（図１及び図２の実施例）のセンサー付スタート台のベースプレート及びスイッチ部の斜視図を示す。架台３の上面部に固定されたベースプレート５は、上面に弾性体、ここでは板ゴム６、を取付けて使用時の微振動をなくすことができる。ベースプレート５は、受け金具用穴１８を有し、裏面には上述のとおり止め具１７を設けている。
【００１９】
競泳時は、競泳者がセンサー付スタート台１に乗っている間は、その体重でトッププレート７が押し下げられスイッチ１３がＯＮの状態になっており（図１）、競泳者が飛び込むと同時にスイッチ自体の押し返しでスイッチ１３がＯＦＦになるため（図２）、この瞬間を感知して計測する。
【００２０】
図６に本発明の図１及び図２と同実施例のセンサー付スタート台のトッププレートを開いた状態の側断面図を示す。
【００２１】
前述したように構成されたセンサー付スタート台１において、点検又はスイッチ等の交換の際には、ベースプレート下部に設けられた止め具１７をスライドさせて受け金具１９から外し、受け金具用穴１８に貫通させていたトッププレート７を上部に回転移動させてトッププレートを開き、前記トッププレート下部全体の点検を行い、さらに必要に応じて前述したように、スイッチホルダー１５を固定しているネジ１６等を取り外す（スイッチ部１１にスイッチ感度調整ネジ１４を有する場合にはその両方）ことのみでスイッチ部１１の点検、交換等を行うことができる。また、スイッチ部にスイッチ感度調整ネジ１４が設けられている場合には、これによりスイッチホルダー１５の位置を調整し、感度を合わせることができる。
【００２２】
【発明の効果】
本発明のよれば、ベースプレートにトッププレートを開閉回転支持部で開閉可能に固定したので、トッププレートの開閉が容易となり、センサー付スタート台内部の保守、点検等を簡便に行うようにすることができるものである。
【図面の簡単な説明】
【図１】  本発明の一実施例であるセンサー付スタート台の側断面図を示す。
【図２】  本発明の一実施例であるセンサー付スタート台の側断面図を示す。
【図３】  本発明の同実施例であるセンサー付スタート台正面側から見た断面図を示す。
【図４】  本発明によるスイッチ部の他の実施例を示す部分図である。
【図５】  本発明の図１と同実施例のセンサー付スタート台の、ベースプレート及びスイッチ部の斜視図を示す。
【図６】  本発明の図１と同実施例のセンサー付スタート台のトッププレートを開いた状態の側断面図を示す。
【符号の説明】
１  センサー付スタート台、３  架台、５  ベースプレート、６  弾性体（板ゴム）、７  トッププレート、９  開閉回転支持部、１１  スイッチ部、１３  スイッチ（テープスイッチ）、１４  スイッチ感度調整ネジ、１５  スイッチホルダー、１６  ネジ、１７  止め具、１８  受け金具用穴、１９  受け金具。
【図１】
0003748945.tif 000002
【図２】
0003748945.tif 000003
【図３】
0003748945.tif 000004
【図４】
0003748945.tif 000005
【図５】
0003748945.tif 000006
【図６】
0003748945.tif 000007